(57)【特許請求の範囲】
【請求項１】
情報を表示可能な表示手段と、
通信回線を介して発信元情報を受信可能な受信手段と、
発信元情報に対応した宛先情報を記憶する宛先情報記憶手段と、
前記受信手段により受信した発信元情報と、前記宛先情報記憶手段に基づいて、当該発信元情報に対応する宛先情報を特定する特定手段と、
前記受信手段により受信した発信元情報を表示する第一表示と、前記特定手段により特定された宛先情報を表示する第二表示と、を交互に前記表示手段に表示させる表示制御手段と、を備えたことを特徴とする通信端末装置。
【請求項２】
前記宛先情報記憶手段に前記発信元情報に対応した宛先情報が記憶されていない場合には、前記表示制御手段は、前記宛先情報が不明である旨の表示を前記第二表示として表示することを特徴とする請求項１に記載の通信端末装置。
【発明の詳細な説明】
【０００１】
【発明の属する技術分野】
本発明は、通信回線を介して発信元情報を受信する受信手段を備えた通信端末装置に関し、特に、発信元情報を受信した場合に、この発信元情報に対応する宛先情報を報知することが可能となると共に、当該受信に対して適切な取り次ぎ等の対応をとることが可能な通信端末装置に関するものである。
【０００２】
【従来の技術】
従来より、電話機等の通信端末装置においては、通信回線を介して入力される入力情報から発呼側の発信元情報を受信した場合に、この発信元情報をＬＣＤ（liquid crystal display）等により構成される表示部に表示して、発呼者の電話番号等の発信元情報を受信者に知らせる通信端末装置や、予め相手先の電話番号、相手先名、住所等を記録するメモリを備え、通信回線を介して入力される入力情報から発呼側の発信元情報を受信した場合に、ＬＣＤ等により構成される表示部に発呼者の相手先名等を表示して受信者に知らせる通信端末装置が知られている。これにより、着信側は、ＬＣＤ等の表示から発信元を推定することが可能となる。
【０００３】
【発明が解決しようとする課題】
しかしながら、このような通信端末装置では、複数人で共有して利用している場合には、発信元情報等をＬＣＤ等に表示するだけでは、当該受信に対する宛先が不明確なため、不要な対応や、取り次ぎ動作や、ＦＡＸの振り分け作業を強いられるという問題がある。
【０００４】
そこで、本発明は、上述した問題点を解決するためになされたものであり、発信元情報に対応する宛先情報を予め記憶しておくことにより、受信した発信元情報に対応する宛先情報を表示手段等によって報知することが可能となると共に、当該受信に対して適切な取り次ぎ等の対応をとることが可能な通信端末装置を提供することを目的とする。
【０００５】
【課題を解決するための手段】
前記目的を達成するため請求項１に係る通信端末装置は、情報を表示可能な表示手段と、通信回線を介して発信元情報を受信可能な受信手段と、発信元情報に対応した宛先情報を記憶する宛先情報記憶手段と、前記受信手段により受信した発信元情報と、前記宛先情報記憶手段に基づいて、当該発信元情報に対応する宛先情報を特定する特定手段と、前記受信手段により受信した発信元情報を表示する第一表示と、前記特定手段により特定された宛先情報を表示する第二表示と、を交互に前記表示手段に表示させる表示制御手段と、を備えたことを特徴とする。
【０００６】
このような特徴を有する請求項１に係る通信端末装置によれば、受信手段により通信回線を介して発信元情報が受信された場合には、宛先情報記憶手段から当該発信元情報に対応する宛先情報が読みだされる。そして、表示手段によって、受信手段により受信された発信元情報を示す第一表示と、当該発信元情報に対応する宛先情報を示す第二表示が交互に表示される。
これにより、受信された発信元情報と、当該発信元情報に対応する宛先情報の報知が可能となると共に、当該受信に対して適切な取り次ぎ等の対応をとることが可能となる。
【０００７】
また、請求項２に係る通信端末装置は、請求項１に記載の通信端末装置において、前記宛先情報記憶手段に前記発信元情報に対応した宛先情報が記憶されていない場合には、前記表示制御手段は、前記宛先情報が不明である旨の表示を前記第二表示として表示することを特徴とする。
【０００８】
このような特徴を有する請求項２に係る通信端末装置によれば、請求項１に記載の通信端末装置において、前記宛先情報記憶手段に前記発信元情報に対応した宛先情報が記憶されていない場合には、受信手段により受信された発信元情報を示す第一表示と、前記宛先情報が不明である旨を示す第二表示が、前記表示制御手段により、前記表示手段に交互に表示される。
【０００９】
【００１０】
【００１１】
【発明の実施の形態】
以下、本発明に係る通信端末装置について、本発明を留守番録音機能付きファクシミリ装置につき具体化した第１乃至第８の実施形態に基づいて図面を参照しつつ詳細に説明する。先ず、第１実施形態に係る留守番録音機能付きファクシミリ装置の概略構成について図１に基づいて説明する。図１は第１実施形態に係る留守番録音機能付きファクシミリ装置の概略構成を示すブロック図である。
【００１２】
図１に示すように、電話回線２０に接続されるファクシミリ装置１の概略構成は、発信元電話番号付加判別手段２、着信信号検出手段３、ラインリレー４、発信元電話番号判別手段５、終話検出手段６、通話回路７、応答メッセージ送出手段８、伝言メッセージ録音手段９、アンプ１０、スピーカ１１、ＣＰＵ１２、ＲＯＭ１３、ＥＥＰＲＯＭ１４、ＲＡＭ１５、ダイヤル発信手段１６、コーデック１７、ＤＭＡＣ１８、タイマー１９、ゲートアレイ２１、モデム２２、読取部２３、記録部２４、操作部２５、表示部２６、呼び出し手段２７、ディジタル音声データ作成部２８、及び音声出力部２９等を備えている。
【００１３】
電話回線２０には、加入者線交換機からアナログ回線等に送出される発信元情報としての発信元電話番号データ等を受信する機能を有する発信元電話番号受信端末を起動するために、交換機から送られる発信元電話番号受信端末起動信号を受信する発信元電話番号付加判別手段２が、回線閉結用のラインリレー４を介さずに直接接続されている。同様に、電話回線２０には、着信信号を検出する着信信号検出手段３が、回線閉結用のラインリレー４を介さずに直接接続されている。さらに、電話回線２０には、ラインリレー４を介して、発信元電話番号データ等を含む通話情報を受信し、発信元電話番号データを検出する発信元電話番号判別手段５、発信者の終話を検出する終話検出手段６、及び電話回線２０との通話を行う通話回路７が接続されている。
【００１４】
一方、ファクシミリ装置１の全体を制御するＣＰＵ１２が設けられ、発信元電話番号付加判別手段２、着信信号検出手段３、ラインリレー４、発信元電話番号判別手段５、及び終話検出手段６はＣＰＵ１２に接続されている。また、通話回路７には、応答メッセージを送出する応答メッセージ送出手段８と、発信者の伝言メッセージを記録し再生する伝言メッセージ録音手段９と、送信データの変調や受信データの復調等を行うモデム２２が接続され、この応答メッセージ送出手段８、伝言メッセージ録音手段９、及びモデム２２は、ＣＰＵ１２にも接続されている。そして、伝言メッセージ録音手段９には、アンプ１０を介して伝言メッセージを発声するスピーカ１１が接続されている。
【００１５】
また、ＣＰＵ１２には、電話機機能等を実行するのに必要な各種プログラムやデータ等を記憶しているＲＯＭ１３、各種の登録データやフラッグ等を記憶しているＥＥＰＲＯＭ１４、及び各種ディジタルデータを一時記憶するＲＡＭ１５が接続されている。また、ＥＥＰＲＯＭ１４には、後述する電話帳３５（図２参照）が記憶される電話帳記憶エリア１４Ａ、後述する鳴動パターンデータテーブル３６（図３参照）が記憶される鳴動パターン記憶エリア１４Ｂ、後述する電話番号データテーブル３７（図４参照）が記憶される電話番号データテーブル記憶エリア１４Ｃ、及び後述する利用者登録テーブル３８（図５参照）が記憶される利用者記憶エリア１４Ｄ等が設けられている。また、ＲＡＭ１５には、後述する受信ＩＤテーブル３９が記憶される受信ＩＤ記憶エリア１５Ａや、受信された画像データや読取部２３で読み取られた画像データが記憶される画像データ記憶エリア１５Ｂ等が設けられている。
【００１６】
また、ＣＰＵ１２には、通話回路７に接続されてテンキー等で構成されるダイヤル発信手段１６、モデム２２により復調された受信画像データを復号し、また、送信画像データを符号化してモデム２２に送り、モデム２２に変調させるコーデック１７、ＲＡＭ１５等へのメモリアクセスを制御するＤＭＡＣ１８、日付情報や時刻情報等を出力すると共に一定時間を計測してタイムアウト信号を出力するタイマ１９、ＣＰＵ１２の入出力インターフェースとして機能するゲートアレイ２１、呼び出し音により着信を知らせる呼び出し手段２７、及び入力されたディジタルデータをディジタル音声データに変換して出力するディジタル音声データ作成部２８が接続されている。
【００１７】
また、ゲートアレイ２１には、光源やＣＣＤセンサや原稿送りモータ等を備えており原稿を読み取って画像信号を出力する読取部２３、熱転写プリンタあるいはレーザプリンタ等からなり、画像データに基づいて記録用紙上に画像を記録する記録部２４、キースイッチ群等からなり、使用者の操作に応じた操作信号を出力する操作部２５、小型ＬＣＤ（本実施形態においては、１５文字表示）等からなり、ＣＰＵ１により制御されて各種の表示を行う表示部２６、及びアンプやスピーカ等を備えており、ディジタル音声データ作成部２８から入力されるディジタル音声データに基づいてメッセージを出力する音声出力部２９が接続されている。
【００１８】
ここで、ＥＥＰＲＯＭ１４の電話帳記憶エリア１４Ａに記憶されている電話帳３５について図２に基づいて説明する。図２は第１実施形態に係るファクシミリ装置１のＥＥＰＲＯＭ１４の電話帳記憶エリア１４Ａに記憶される電話帳３５の一例を示す図である。
図２に示されるように、電話帳３５は、「私設電話帳Ａ」、「私設電話帳Ｂ」、及び「私設電話帳Ｃ」から構成され、各私設電話帳Ａ、Ｂ、Ｃには、複数の電話番号が、各私設電話帳Ａ、Ｂ、Ｃの利用者により操作部２５等を介して登録される。
例えば、「私設電話帳Ａ」には、「０１２３４５６７８９」、「０１２３４５８９０１」及び「０１２３４５０１２３」等が、登録されている。また、「私設電話帳Ｂ」には、「０１２３４５１２３４」、「０１２３４５３４５６」及び「０１２３４５５６７８」・・・「０１２３４５２８２８」等が、登録されている。更に、「私設電話帳Ｃ」には、「０１２３４５９８７６」、「０１２３４５８７６５」及び「０１２３４５７６５４」等が、登録されている。尚、各私設電話帳Ａ、Ｂ、Ｃの最大登録件数は、記憶容量が許す限り任意である。
【００１９】
また、ＥＥＰＲＯＭ１４の鳴動パターン記憶エリア１４Ｂに記憶されている鳴動パターンデータテーブル３６について図３に基づいて説明する。図３は第１実施形態に係るファクシミリ装置１のＥＥＰＲＯＭ１４の鳴動パターン記憶エリア１４Ｂに記憶される鳴動パターンデータテーブル３６の一例を示す図である。
図３に示されるように、鳴動パターンデータテーブル３６は、「呼び出し先」と「鳴動パターン」とから構成され、各「呼び出し先」に対応する「鳴動パターン」は、各共有利用者により操作部２５等を介して登録される。そして、この「呼び出し先」の「私設電話帳Ａ」は、私設電話帳Ａに登録されている各電話番号に対応する呼び出し先であり、「呼び出し先」の「私設電話帳Ｂ」は、私設電話帳Ｂに登録されている各電話番号に対応する呼び出し先であり、「呼び出し先」の「私設電話帳Ｃ」は、私設電話帳Ｃに登録されている各電話番号に対応する呼び出し先である。
例えば、「呼び出し先」が「私設電話帳Ａ」の場合、即ち「私設電話帳Ａ登録されている各電話番号に対応する呼び出し先」の場合は、「鳴動パターン」は、「パターン−１」である。また、「呼び出し先」が「私設電話帳Ｂ」の場合、即ち「私設電話帳Ｂ登録されている各電話番号に対応する呼び出し先」の場合は、「鳴動パターン」は、「パターン−２」である。さらに、「呼び出し先」が「私設電話帳Ｃ」の場合、即ち「私設電話帳Ｃ登録されている各電話番号に対応する呼び出し先」の場合は、「鳴動パターン」は、「パターン−３」である。尚、この各パターン−１、パターン−２、パターン−３の鳴動パターン情報及び鳴動パターン制御情報はＲＯＭ１３に予め記憶されている。
【００２０】
また、ＥＥＰＲＯＭ１４の電話番号データテーブル記憶エリア１４Ｃに記憶されている電話番号データテーブル３７について図４に基づいて説明する。図４は第１実施形態に係るファクシミリ装置１のＥＥＰＲＯＭ１４の電話番号データテーブル記憶エリア１４Ｃに記憶される電話番号データテーブル３７の一例を示す図である。
図４に示すように、電話番号データテーブル３７は、「電話番号」と「名前」とから構成され、各「電話番号」、「名前」は、操作部２５等を介して各共有利用者により登録される。そして、電話番号データテーブル３７の「電話番号」に対応する「名前」は、この「電話番号」の発信者の名前を表すデータである。
例えば、「電話番号」が「０１２３４５６７８９」の場合には、この「電話番号」に対応する「名前」は「ＹＹ」である。また、「電話番号」が「０１２３４５１２３４」の場合には、この「電話番号」に対応する「名前」は「ＷＷ」である。また、「電話番号」が「０１２３４５２３４５」の場合には、この「電話番号」に対応する「名前」は「ＶＶ」である。さらに、「電話番号」が「０１２３４５２８２８」の場合には、この「電話番号」に対応する「名前」は「ＰＱ」である。尚、図４には、登録されたデータ例として４件の例が示されているが、最大登録件数は記憶容量が許す限り任意である。
【００２１】
また、ＥＥＰＲＯＭ１４の利用者記憶エリア１４Ｄに記憶されている利用者登録テーブル３８について図５に基づいて説明する。図５は第１実施形態に係るファクシミリ装置１のＥＥＰＲＯＭ１４の利用者記憶エリア１４Ｄに記憶される利用者登録テーブル３８の一例を示す図である。
図５に示すように、利用者登録テーブル３８は、「私設電話帳」と「利用者名」から構成され、各「私設電話帳」に対応する「利用者名」は、操作部２５等を介して各私設電話帳の利用者により登録される。
例えば、「私設電話帳」が「私設電話帳Ａ」の場合には、この「私設電話帳」に対応する「名前」は「○○○」である。また、「私設電話帳」が「私設電話帳Ｂ」の場合には、この「私設電話帳」に対応する「名前」は「×××」である。更に、「私設電話帳」が「私設電話帳Ｃ」の場合には、この「私設電話帳」に対応する「名前」は「△△△」である。
【００２２】
また、ＲＡＭ１５の受信ＩＤ記憶エリア１５Ａに記憶されている受信ＩＤテーブル３９について図６に基づいて説明する。図６は第１実施形態に係るファクシミリ装置１のＲＡＭ１５の受信ＩＤ記憶エリア１５Ａに記憶される受信ＩＤテーブル３９の一例を示す図である。
図６に示すように、受信ＩＤテーブル３９は、「受信日時」、及びこの「受信日時」に対応する「電話番号」から構成されている。そして、この「受信日時」は、ＣＰＵ１２が、着信信号検出手段３から着信検出信号を入力された時の年月日データ及びその時の時間データより構成されるデータである。また、この「電話番号」は、前記発信元電話番号判別手段５によって検出される発信元電話番号データである。
【００２３】
よって、「受信日時」が「９８／６／１６  ０８：０５」のデータに対応する「電話番号」は「０１２３４５６７８９」である。即ち、「１９９８年６月１６日、８時５分」に「電話番号」が「０１２３４５６７８９」の発信元電話番号データが着信したことを表している。また、「受信日時」が「９８／６／１６  １３：１３」のデータに対応する「電話番号」は「０１２３４５１２３４」である。即ち、「１９９８年６月１６日、１３時１３分」に「電話番号」が「０１２３４５１２３４」の発信元電話番号データが着信したことを表している。また、「受信日時」が「９８／６／１６  １３：１５」のデータに対応する「電話番号」は「０１２３４５２３４５」である。即ち、「１９９８年６月１６日、１３時１５分」に「電話番号」が「０１２３４５２３４５」の発信元電話番号データが着信したことを表している。更に、「受信日時」が「９８／６／１６  １６：０４」のデータに対応する「電話番号」は「０１２３４５２８２８」である。即ち、「１９９８年６月１６日、１６時４分」に「電話番号」が「０１２３４５２８２８」の発信元電話番号データが着信したことを表している。尚、図６には、受信ＩＤテーブル記憶エリア１５Ａに記憶されたデータ例として４件の例が示されているが、最大記憶件数は記憶容量が許す限り任意である。
【００２４】
ここで、発信元電話番号付加判別手段２及び発信元電話番号判別手段５により受信手段が構成される。また、電話帳記憶エリア１４Ａ及び利用者記憶エリア１４Ｄにより宛先情報記憶手段が構成される。また、音声出力手段として機能する音声出力部２９、表示手段として機能する表示部２６、印字手段として機能する記録部２４、及び呼び出し手段２７により報知手段が構成される。さらに、ＲＯＭ１３及び鳴動パターン記憶エリア１４Ｃにより鳴動パターン記憶手段が構成される。
【００２５】
次に、このように構成されたファクシミリ装置１の呼び出し先の表示処理について図７に基づいて説明する。図７は第１実施形態に係るファクシミリ装置１の呼び出し先の表示処理のフローチャートである。
先ず、図７に示すように、ステップ（以下、Ｓと略記する）１において、ＣＰＵ１２は、着信信号検出手段３により電話回線２０を介して発呼者から呼出信号が着信したか否かを判定する。そして、着信していない場合には、着信するまで待機し、着信があった場合には、着信信号検出手段３からＣＰＵ１２に着信検出信号が出力される。
次に、ＣＰＵ１２は、着信検出信号の入力を検知すると、タイマー１９から日付情報及び時刻情報を読み込み、受信ＩＤ記憶エリア１５Ａに記憶される受信ＩＤテーブル３９の「受信日時」のデータとして記憶する。例えば、「１９９８年６月１６日、１６時４分」に受信した場合は、受信ＩＤテーブル３９の「受信日時」に「９８／６／１６  １６：０４」が記憶される。
そして、その着信が発信元電話番号が付加されたものかどうかを発信元電話番号付加判別手段２により判別する。尚、発信元電話番号が付加されている場合には、加入者線交換機からの着信信号が、発信元の電話番号の無い信号と変えてあるため、発信元電話番号付加判別手段２により着信信号の違いを判別し、発信元の電話番号が付加されたものであるかそうでないかを判別可能となっている。
そして、今回の着信が発信元の電話番号が付加されたものであると発信元電話番号付加判別手段２により判定された場合には、発信元電話番号付加判別手段２からＣＰＵ１２に発信元電話番号付加検出信号が出力される。
続いて、ＣＰＵ１２は、発信元電話番号付加検出信号の入力を検知すると、ラインリレー４をオンして、電話回線２０を閉結し、発信元電話番号判別手段５を起動する。発信元電話番号判別手段５は、入力情報から発信元電話番号を判別し、ＣＰＵ１２へ出力する。ＣＰＵ１２は、入力されたこの発信元電話番号を受信ＩＤテーブル３９に、前記「受信日時」データに対応する「電話番号」データとして記憶する。例えば、発信元電話番号データが「０１２３４５２８２８」の場合には、受信ＩＤテーブル３９の「受信日時」が「９８／６／１６  １６：０４」のデータに対応する「電話番号」に「０１２３４５２８２８」が記憶される。  そして、ＣＰＵ１２は、ラインリレー４をオフして、一旦回線を開放する。
【００２６】
次に、Ｓ２において、ＣＰＵ１２は、ＲＡＭ１５に「検索電話帳」として「私設電話帳Ａ」を記憶する。
【００２７】
続いて、Ｓ３において、ＣＰＵ１２は、ＲＡＭ１５から「検索電話帳」を読み出し、利用者記憶エリア１４Ｄに記憶されている利用者登録テーブル３８の「私設電話帳」の「検索電話帳」、即ち「私設電話帳Ａ」に対応する「利用者名」を読み込み、ＲＡＭ１５に記憶する。したがって、「検索電話帳」が「私設電話帳Ａ」の場合には、ＲＡＭ１５に「利用者名」として「○○○」が記憶される。
【００２８】
次に、Ｓ４において、電話帳記憶エリア１４Ａに記憶されている電話帳３５の「検索電話帳」、即ち「私設電話帳Ａ」に記憶されている電話番号データを最初から順次、一個ずつ読み出す。
【００２９】
それと同時に、Ｓ５において、受信ＩＤ記憶エリア１５Ａに記憶されている受信ＩＤテーブル３９から最新に記憶された「電話番号」の電話番号データが読み出され、この電話番号データと「私設電話帳Ａ」から読み出した電話番号データとが一致するか否か判定される。
そして、一致しない場合には（Ｓ５：ＮＯ）、Ｓ６において、「私設電話帳Ａ」から読み出した電話番号データが最後の電話番号データか否か判定される。そして、「私設電話帳Ａ」から読み出した電話番号データが最後の電話番号データでない場合には（Ｓ６：ＮＯ）、再度、Ｓ４以降の処理が実行される。
【００３０】
また、「私設電話帳Ａ」から読み出した電話番号データが最後の電話番号データの場合には（Ｓ６：ＹＥＳ）、Ｓ７において、前記「検索電話帳」が最後の私設電話帳か否か判定される。即ち、「検索電話帳」が「私設電話帳Ｃ」か否か判定される。
そして、「検索電話帳」が「私設電話帳Ｃ」でない場合には（Ｓ７：ＮＯ）、Ｓ８において、ＲＡＭ１５に「検索電話帳」として次の私設電話帳である「私設電話帳Ｂ」を記憶する。続いて、再度、Ｓ３以降の処理が実行される。
【００３１】
そして、Ｓ５において、受信ＩＤテーブル３９に最新に記憶された「電話番号」の電話番号データと一致する電話番号データが、「私設電話帳Ｂ」にない場合には（Ｓ５：ＮＯ）、Ｓ６以降の処理が実行されて、Ｓ８において、ＲＡＭ１５に「検索電話帳」として最後の私設電話帳である「私設電話帳Ｃ」を記憶する。続いて、再度、Ｓ３以降の処理が実行される。
【００３２】
そして、Ｓ７において、ＲＡＭ１５に「検索電話帳」として「私設電話帳Ｃ」が記憶されている場合（Ｓ７：ＹＥＳ）、即ち、最後の私設電話帳の場合には、Ｓ９において、ＲＡＭ１５に「着信呼び出し先」として「不明」が記憶される。
【００３３】
次に、Ｓ１０において、通常の着信状態に移行する。そして、Ｓ１１において、ＲＡＭ１５から「着信呼び出し先」が読み出されて、当該「着信呼び出し先」が「不明」であるため、ＲＡＭ１５に、「表示１」として、「アテサキ：フメイ」が記憶される。また、受信ＩＤ記憶エリア１５Ａに記憶されている受信ＩＤテーブル３９から最新に記憶された「電話番号」の電話番号データが読み出され、ＲＡＭ１５に「相手先」として記憶される。そして、ＲＡＭ１５からこの「相手先」が読み出され、ＲＡＭ１５に「表示２」として、「アイテサキ：（相手先）」が記憶される。例えば、受信ＩＤテーブル３９から最新に記憶された「電話番号」の電話番号データが「０１２３４５２８００」の場合には、ＲＡＭ１５に「表示２」として「アイテサキ：０１２３４５２８００」が記憶される。続いて、前記「表示１」と「表示２」とが交互にＲＡＭ１５から読み出され、表示部２６に所定時間ずつ（第１実施形態では、約０．５秒間ずつ）表示されて、処理が終了する。
【００３４】
また、Ｓ５において、受信ＩＤテーブル３９に最新に記憶された「電話番号」の電話番号データと一致する電話番号データが、ＲＡＭ１５に記憶されている「検索電話帳」に対応する私設電話帳に記憶されていた場合には（Ｓ５：ＹＥＳ）、Ｓ１２において、ＲＡＭ１５から「利用者名」を読み出し、ＲＡＭ１５に「着信呼び出し先」として当該「利用者名」を記憶する。例えば、受信ＩＤテーブル３９に最新に記憶された「電話番号」の電話番号データが「０１２３４５２８２８」の場合には、「着信呼び出し先」として「×××」がＲＡＭ１５に記憶される。
【００３５】
続いて、Ｓ１０において、通常の着信状態に移行する。そして、Ｓ１１において、ＲＡＭ１５から「着信呼び出し先」が読み出され、当該「着信呼び出し先」が「不明」でない場合には、ＲＡＭ１５に、「表示１」として、「（着信呼び出し先）  ヘ  チャクシン」が記憶される。例えば、「着信呼び出し先」が「×××」の場合には、「表示１」として、「×××  ヘ  チャクシン」が記憶される。続いて、受信ＩＤ記憶エリア１５Ａに記憶されている受信ＩＤテーブル３９から最新に記憶された「電話番号」の電話番号データが読み出され、この電話番号データと一致する電話番号データテーブル３７の「電話番号」に対応する「名前」が読み出されて、ＲＡＭ１５に「相手先」としてこの「名前」が記憶される。そして、ＲＡＭ１５からこの「相手先」が読み出され、ＲＡＭ１５に「表示２」として、「アイテサキ：（相手先）」が記憶される。例えば、受信ＩＤテーブル３９から最新に記憶された「電話番号」の電話番号データが「０１２３４５２８２８」の場合には、電話番号データテーブル３７から前記電話番号データ「０１２３４５２８２８」と一致する「電話番号」に対応する「名前」として「ＰＱ」が読み出され（図４参照）、ＲＡＭ１５に「表示２」として「アイテサキ：ＰＱ」が記憶される。続いて、前記「表示１」と「表示２」とが交互にＲＡＭ１５から読み出され、表示部２６に所定時間ずつ（第１実施形態では、約０．５秒間ずつ）表示されて、処理が終了する。
【００３６】
次に、第１実施形態に係る呼び出し先表示の一例を図８に基づいて説明する。図８は第１実施形態に係る呼び出し先表示の一例を示す図で、（ａ）は受信した発信元電話番号が電話帳３５の私設電話帳Ｂに登録されていた場合の表示の一例を示す図で、（ｂ）は受信した発信元電話番号が電話帳３５に登録されていない場合の表示の一例を示す図である。
先ず、図８（ａ）に示されるように、最新に受信した発信元電話番号、即ち、受信ＩＤテーブル３９に最新に記憶された「電話番号」の電話番号データが、「０１２３４５２８２８」の場合には、上記説明のようにＲＡＭ１５には、「表示１」として「×××  ヘ  チャクシン」が記憶され、「表示２」として「アイテサキ：ＰＱ」が記憶される。そして、「×××  ヘ  チャクシン」と「アイテサキ：ＰＱ」とが交互にＲＡＭ１５から読み出され、表示部２６に所定時間ずつ（第１実施形態では、約０．５秒間ずつ）繰り返し表示される。
【００３７】
また、図８（ｂ）最新に受信した発信元電話番号、即ち、受信ＩＤテーブル３９に最新に記憶された「電話番号」の電話番号データが、「０１２３４５２８００」の場合には、上記説明のようにＲＡＭ１５には、「表示１」として「アテサキ：フメイ」が記憶され、「表示２」として「アイテサキ：０１２３４５２８００」が記憶される。そして、「アテサキ：フメイ」と「アイテサキ：０１２３４５２８００」とが交互にＲＡＭ１５から読み出され、表示部２６に所定時間ずつ（第１実施形態では、約０．５秒間ずつ）繰り返し表示される。
【００３８】
以上詳細に説明した通り、第１実施形態のファクシミリ装置１においては、着信信号検出手段３によって着信が検出されると、発信元電話番号付加判別手段２及び発信元電話番号判別手段５によって発信元電話番号が受信される（Ｓ１）。そして、当該発信元電話番号が電話帳３５の各私設電話帳Ａ、Ｂ、Ｃのいずれかに登録されている場合には（Ｓ２、Ｓ３、Ｓ４、Ｓ５：ＹＥＳ）、ＲＡＭ１５に「着信呼び出し先」として利用者登録テーブル３８の当該私設電話帳の「利用者名」が記憶される（Ｓ１２）。また、ＲＡＭ１５に「相手先」として、電話番号データテーブル３７の発信元電話番号と一致する「電話番号」に対応した「名前」が記憶される。続いて、再度、ＲＡＭ１５から前記「着信呼び出し先」が読み出され、ＲＡＭ１５に、「表示１」として、「（着信呼び出し先）  ヘ  チャクシン」が記憶される。また、ＲＡＭ１５から前記「相手先」が読み出され、ＲＡＭ１５に「表示２」として、「アイテサキ：（相手先）」が記憶される。続いて、前記「表示１」と「表示２」とが交互にＲＡＭ１５から読み出され、表示部２６に所定時間ずつ（第１実施形態では、約０．５秒間ずつ）繰り返し表示される。
また、当該発信元電話番号が電話帳３５の各私設電話帳Ａ、Ｂ、Ｃのいずれにも登録されていない場合には（Ｓ２、Ｓ３、Ｓ４、Ｓ５：ＮＯ）、ＲＡＭ１５に「着信呼び出し先」として「不明」が記憶される（Ｓ９）。また、ＲＡＭ１５に「相手先」として、この発信元電話番号が記憶される。そして、ＲＡＭ１５から「着信呼び出し先」が読み出されて、当該「着信呼び出し先」が「不明」であるため、ＲＡＭ１５に、「表示１」として、「アテサキ：フメイ」が記憶される。また、ＲＡＭ１５からこの「相手先」が読み出され、ＲＡＭ１５に「表示２」として、「アイテサキ：（相手先）」が記憶される。続いて、前記「表示１」と「表示２」とが交互にＲＡＭ１５から読み出され、表示部２６に所定時間ずつ（第１実施形態では、約０．５秒間ずつ）繰り返し表示される。
【００３９】
したがって、複数人（第１実施形態では、３人）でファクシミリ装置１を共有している場合に、予め電話帳３５の各私設電話帳Ａ、Ｂ、Ｃに相手先の「電話番号」を登録しておき、利用者登録テーブル３８に各私設電話帳Ａ、Ｂ、Ｃの「利用者名」を登録して、さらに、電話番号データテーブル３７に前記相手先の「電話番号」に対応する相手先の「名前」を登録しておく事により、着信があった場合には、当該着信の「呼び出し先」と「発信者名」とを表示部２６に表示する事が可能となると共に、当該受信に対して適切な取り次ぎ等の対応をとることが可能となる。
【００４０】
次に、第２実施形態に係るファクシミリ装置の呼び出し先表示の一例について図９に基づいて説明する。図９は第２実施形態に係るファクシミリ装置の呼び出し先表示の一例を示す図で、（ａ）は受信した発信元電話番号が電話帳３５の私設電話帳Ｂに登録されていた場合の表示の一例を示す図で、（ｂ）は受信した発信元電話番号が電話帳３５に登録されていない場合の表示の一例を示す図である。
先ず、第２実施形態に係るファクシミリ装置の構成は、第１実施形態のファクシミリ装置１の構成とほぼ同じ構成である。また、第２実施形態に係るファクシミリ装置の呼び出し先の表示処理は、第１実施形態のファクシミリ装置１の呼び出し先の表示処理（図７参照）とほぼ同じであるが、Ｓ１１において、ＲＡＭ１５から「着信呼び出し先」が読み出され、当該「着信呼び出し先」が「不明」でない場合には、ＲＡＭ１５に、「呼び出し表示」として、「（着信呼び出し先）  ヘ  チャクシン」が記憶される。続いて、この「呼び出し先表示」がＲＡＭ１５から読み出され、表示部２６に表示されて、処理が終了する。
例えば、図９（ａ）に示されるように、「着信呼び出し先」が「×××」の場合には、「呼び出し表示」として、「×××  ヘ  チャクシン」が記憶される。続いて、この「呼び出し先表示」がＲＡＭ１５から読み出され、表示部２６に「×××  ヘ  チャクシン」が表示される。
【００４１】
また、Ｓ１１において、ＲＡＭ１５から「着信呼び出し先」が読み出され、当該「着信呼び出し先」が「不明」の場合には、ＲＡＭ１５に、「呼び出し表示」として、「チャクシン  アリ」が記憶される。続いて、この「呼び出し先表示」がＲＡＭ１５から読み出され、表示部２６に表示されて、処理が終了する。
例えば、図９（ｂ）に示されるように、「着信呼び出し先」が「不明」の場合には、「呼び出し表示」として、「チャクシン  アリ」が記憶される。続いて、この「呼び出し先表示」がＲＡＭ１５から読み出され、表示部２６に「チャクシン  アリ」が表示される。
【００４２】
以上詳細に説明した通り、第２実施形態のファクシミリ装置の構成及び呼び出し先の表示処理は、第１実施形態のファクシミリ装置１の構成及び呼び出し先の表示処理（図７参照）とほぼ同じであるが、Ｓ１１において、ＲＡＭ１５から「着信呼び出し先」が読み出され、当該「着信呼び出し先」が「不明」でない場合には、表示部２６に「（着信呼び出し先）  ヘ  チャクシン」が表示されて、処理が終了する。また、Ｓ１１において、ＲＡＭ１５から「着信呼び出し先」が読み出され、当該「着信呼び出し先」が「不明」の場合には、表示部２６に「チャクシン  アリ」が表示されて、処理が終了する。
したがって、複数人（第１実施形態では、３人）でファクシミリ装置１を共有している場合に、予め電話帳３５の各私設電話帳Ａ、Ｂ、Ｃに相手先の「電話番号」を登録しておき、利用者登録テーブル３８に各私設電話帳Ａ、Ｂ、Ｃの「利用者名」を登録しておく事により、着信があった場合には、当該着信の「呼び出し先」を表示部２６に表示する事が可能となると共に、当該受信に対して適切な取り次ぎ等の対応をとることが可能となる。更には、発信者を他人に知られることなく「呼び出し先」を判別できるため、プライバシーの確保が可能となる。
【００４３】
次に、第３実施形態に係るファクシミリ装置の印字媒体への印字による宛先表示の処理について図１０に基づいて説明する。図１０は第３実施形態に係るファクシミリ装置の受信した発信元電話番号が、電話帳３５の私設電話帳Ｂに登録されていた場合の印字媒体への印字による宛先表示の一例を示す図である。
先ず、第３実施形態に係るファクシミリ装置の構成は、第１実施形態のファクシミリ装置１の構成とほぼ同じ構成である。また、第３実施形態に係るファクシミリ装置の印字媒体への印字による宛先表示の処理は、第１実施形態のファクシミリ装置１の呼び出し先の表示処理（図７参照）とほぼ同じであるが、Ｓ１１において、ＲＡＭ１５から「着信呼び出し先」が読み出され、当該「着信呼び出し先」が「不明」でない場合には、ＲＡＭ１５に、「印字１」として、「（着信呼び出し先）  ヘ  チャクシン」が記憶される。続いて、受信ＩＤ記憶エリア１５Ａに記憶されている受信ＩＤテーブル３９から最新に記憶された「電話番号」の電話番号データが読み出され、この電話番号データと一致する電話番号データテーブル３７の「電話番号」に対応する「名前」が読み出されて、ＲＡＭ１５に「相手先」としてこの「名前」が記憶される。そして、ＲＡＭ１５からこの「相手先」が読み出され、ＲＡＭ１５に「印字２」として、「（相手先）  カラ」が記憶される。続いて、ＲＡＭ１５から「印字２」が読み出されて、印字媒体４１の左上端部に印字され、続けて、ＲＡＭ１５から「印字１」が読み出されて、連続して印字される。
【００４４】
図１０に示されるように、例えば、「着信呼び出し先」が「×××」の場合には、「印字１」として、「×××  ヘ  チャクシン」が記憶される。そして、受信ＩＤテーブル３９に最新に記憶された「電話番号」の電話番号データが「０１２３４５２８２８」の場合には、電話番号データテーブル３７から前記電話番号データ「０１２３４５２８２８」と一致する「電話番号」に対応する「名前」として「ＰＱ」が読み出され（図４参照）、ＲＡＭ１５に「印字２」として「ＰＱ  カラ」が記憶される。そして、印字媒体４１の左上端部に「印字２」が印字され、続けて、「印字１」が印字される。即ち、印字媒体の上端部に「ＰＱ  カラ  ×××  ヘ  チャクシン」と印字される。
【００４５】
以上詳細に説明した通り、第３実施形態のファクシミリ装置の構成及び印字媒体４１への印字による宛先表示の処理は、第１実施形態のファクシミリ装置１の構成及び呼び出し先の表示処理（図７参照）とほぼ同じであるが、Ｓ１１において、ＲＡＭ１５から「着信呼び出し先」が読み出され、「印字１」として、「（着信呼び出し先）  ヘ  チャクシン」がＲＡＭ１５に記憶される。続いて、ＲＡＭ１５から「相手先」が読み出され、ＲＡＭ１５に「印字２」として、「（相手先）  カラ」が記憶される。そして、ＲＡＭ１５から「印字２」が読み出されて、印字媒体４１の左上端部に印字され、続けて、ＲＡＭ１５から「印字１」が読み出されて、印字媒体４１に連続して印字される。即ち、印字媒体４１の上端部に「（相手先）  カラ  （着信呼び出し先）  ヘ  チャクシン」と印字される。
したがって、複数人（第１実施形態では、３人）でファクシミリ装置１を共有している場合に、予め電話帳３５の各私設電話帳Ａ、Ｂ、Ｃに相手先の「電話番号」を登録しておき、利用者登録テーブル３８に各私設電話帳Ａ、Ｂ、Ｃの「利用者名」を登録して、さらに、電話番号データテーブル３７に前記相手先の「電話番号」に対応する相手先の「名前」を登録しておく事により、ファクシミリ通信の受信があった場合に、当該ファクシミリの発信者名及び宛先を印字媒体４１の上端部に印字することが可能となると共に、ファクシミリの印字出力後の振り分け作業を容易に行うことができる。また、当該ファクシミリの応答先を確実に知ることが可能となる。
【００４６】
次に、第４実施形態に係るファクシミリ装置の印字媒体への印字による宛先表示の処理について図１１に基づいて説明する。図１１は第４実施形態に係るファクシミリ装置の受信した発信元電話番号が、電話帳３５の私設電話帳Ｂに登録されていた場合の印字媒体への印字による宛先表示の一例を示す図である。
先ず、第４実施形態に係るファクシミリ装置の構成は、第１実施形態のファクシミリ装置１の構成とほぼ同じ構成である。また、第４実施形態に係るファクシミリ装置の印字媒体４２への印字による宛先表示の処理は、第１実施形態のファクシミリ装置１の呼び出し先の表示処理（図７参照）とほぼ同じであるが、Ｓ１１において、ＲＡＭ１５から「着信呼び出し先」が読み出され、当該「着信呼び出し先」が「不明」でない場合には、ＲＡＭ１５に、「印字１」として、「（着信呼び出し先）  ヘ  チャクシン」が記憶される。続いて、ＲＡＭ１５から、再度、「印字１」が読み出されて、印字媒体４２の上端部に印字される。
【００４７】
図１１に示されるように、例えば、「着信呼び出し先」が「×××」の場合には、「印字１」として、「×××  ヘ  チャクシン」が記憶される。そして、再度、「印字１」がＲＡＭ１５から読み出され、印字媒体４２の上端部に「印字１」が印字される。即ち、印字媒体の上端部に「×××  ヘ  チャクシン」と印字される。
【００４８】
以上詳細に説明した通り、第４実施形態のファクシミリ装置の構成及び印字媒体４１への印字による宛先表示の処理は、第１実施形態のファクシミリ装置１の構成及び呼び出し先の表示処理（図７参照）とほぼ同じであるが、Ｓ１１において、ＲＡＭ１５から「着信呼び出し先」が読み出され、「印字１」として、「（着信呼び出し先）  ヘ  チャクシン」がＲＡＭ１５に記憶される。続いて、ＲＡＭ１５から、再度、「印字１」が読み出されて、印字媒体４２の上端部に印字される。即ち、印字媒体４２の上端部に「（着信呼び出し先）  ヘ  チャクシン」と印字される。
したがって、複数人（第１実施形態では、３人）でファクシミリ装置１を共有している場合に、予め電話帳３５の各私設電話帳Ａ、Ｂ、Ｃに相手先の「電話番号」を登録しておき、利用者登録テーブル３８に各私設電話帳Ａ、Ｂ、Ｃの「利用者名」を登録しておく事により、ファクシミリ通信の受信があった場合に、当該ファクシミリの宛先を印字媒体４２の上端部に印字することが可能となると共に、ファクシミリの印字出力後の振り分け作業を容易に行うことができる。また、発信者を他人に知られることなくファクシミリの宛先を判別できるため、プライバシーの確保が可能となる。
【００４９】
次に、第５実施形態に係るファクシミリ装置の印字媒体への印字による宛先表示の処理について図１２に基づいて説明する。図１２は第５実施形態に係るファクシミリ装置の受信した発信元電話番号が、電話帳３５の私設電話帳Ｂに登録されていた場合の印字媒体への印字による宛先表示の一例を示す図である。
先ず、第５実施形態に係るファクシミリ装置の構成は、第１実施形態のファクシミリ装置１の構成とほぼ同じ構成である。また、第５実施形態に係るファクシミリ装置の印字媒体４３への印字による宛先表示の処理は、第１実施形態のファクシミリ装置１の呼び出し先の表示処理（図７参照）とほぼ同じであるが、Ｓ１１において、ＲＡＭ１５から「着信呼び出し先」が読み出され、当該「着信呼び出し先」が「不明」でない場合には、ＲＡＭ１５に、「印字１」として、「（着信呼び出し先）  ヘ  チャクシン」が記憶される。続いて、受信ＩＤ記憶エリア１５Ａに記憶されている受信ＩＤテーブル３９から最新に記憶された「電話番号」の電話番号データが読み出され、この電話番号データと一致する電話番号データテーブル３７の「電話番号」に対応する「名前」が読み出されて、ＲＡＭ１５に「相手先」としてこの「名前」が記憶される。そして、ＲＡＭ１５からこの「相手先」が読み出され、ＲＡＭ１５に「印字２」として、「（相手先）  カラ」が記憶される。続いて、ＲＡＭ１５から「印字２」が読み出されて、印字媒体４３の左上部に印字され、続けて、ＲＡＭ１５から「印字１」が読み出されて、下側に改行して印字される。そして、次ページ以後の印字媒体４４に受信したファクシミリが印字される。
【００５０】
図１２に示されるように、例えば、「着信呼び出し先」が「×××」の場合には、「印字１」として、「×××  ヘ  チャクシン」が記憶される。そして、受信ＩＤテーブル３９に最新に記憶された「電話番号」の電話番号データが「０１２３４５２８２８」の場合には、電話番号データテーブル３７から前記電話番号データ「０１２３４５２８２８」と一致する「電話番号」に対応する「名前」として「ＰＱ」が読み出され（図４参照）、ＲＡＭ１５に「印字２」として「ＰＱ  カラ」が記憶される。そして、印字媒体４３の左上部に「印字２」が印字され、続けて、ＲＡＭ１５から「印字１」が読み出されて、下側に改行して印字される。即ち、印字媒体４３の左上部に「ＰＱ  カラ」と印字される。そして、その下側に「×××  ヘ  チャクシン」と印字される。そして、次ページ以後の印字媒体４４に受信したファクシミリが印字される。
【００５１】
以上詳細に説明した通り、第５実施形態のファクシミリ装置の構成及び印字媒体４３への印字による宛先表示の処理は、第１実施形態のファクシミリ装置１の構成及び呼び出し先の表示処理（図７参照）とほぼ同じであるが、Ｓ１１において、ＲＡＭ１５から「着信呼び出し先」が読み出され、「印字１」として、「（着信呼び出し先）  ヘ  チャクシン」がＲＡＭ１５に記憶される。続いて、ＲＡＭ１５から「相手先」が読み出され、ＲＡＭ１５に「印字２」として、「（相手先）  カラ」が記憶される。そして、ＲＡＭ１５から「印字２」が読み出されて、印字媒体４３の左上部に印字され、続けて、ＲＡＭ１５から「印字１」が読み出されて、その下側に印字される。即ち、印字媒体４３の左上部に「（相手先）  カラ」と印字され、下側に「（着信呼び出し先）  ヘ  チャクシン」が印字される。そして、次ページ以後の印字媒体４４に受信したファクシミリが印字される。
したがって、複数人（第１実施形態では、３人）でファクシミリ装置１を共有している場合に、予め電話帳３５の各私設電話帳Ａ、Ｂ、Ｃに相手先の「電話番号」を登録しておき、利用者登録テーブル３８に各私設電話帳Ａ、Ｂ、Ｃの「利用者名」を登録して、さらに、電話番号データテーブル３７に前記相手先の「電話番号」に対応する相手先の「名前」を登録しておく事により、ファクシミリ通信の受信があった場合に、当該ファクシミリの発信者名及び宛先を印字媒体４３に印字することが可能となると共に、ファクシミリの印字出力後の振り分け作業を容易に行うことができる。また、当該ファクシミリの応答先を確実に知ることが可能となる。
【００５２】
次に、第６実施形態に係るファクシミリ装置の印字媒体への印字による宛先表示の処理について図１３に基づいて説明する。図１３は第６実施形態に係るファクシミリ装置の受信した発信元電話番号が、電話帳３５の私設電話帳Ｂに登録されていた場合の印字媒体への印字による宛先表示の一例を示す図である。
先ず、第６実施形態に係るファクシミリ装置の構成は、第１実施形態のファクシミリ装置１の構成とほぼ同じ構成である。また、第６実施形態に係るファクシミリ装置の印字媒体４５への印字による宛先表示の処理は、第１実施形態のファクシミリ装置１の呼び出し先の表示処理（図７参照）とほぼ同じであるが、Ｓ１１において、ＲＡＭ１５から「着信呼び出し先」が読み出され、当該「着信呼び出し先」が「不明」でない場合には、ＲＡＭ１５に、「印字１」として、「（着信呼び出し先）  ヘ  チャクシン」が記憶される。続いて、ＲＡＭ１５から、再度、「印字１」が読み出されて、印字媒体４５の中央部よりやや上側に印字される。そして、次ページ以後の印字媒体４６に受信したファクシミリが印字される。
【００５３】
図１３に示されるように、例えば、「着信呼び出し先」が「×××」の場合には、「印字１」として、「×××  ヘ  チャクシン」が記憶される。そして、再度、「印字１」がＲＡＭ１５から読み出され、印字媒体４５の中央部よりやや上側に印字される。即ち、印字媒体４５の中央部よりやや上側に「×××  ヘ  チャクシン」と印字される。そして、次ページ以後の印字媒体４６に受信したファクシミリが印字される。
【００５４】
以上詳細に説明した通り、第６実施形態のファクシミリ装置の構成及び印字媒体４５への印字による宛先表示の処理は、第１実施形態のファクシミリ装置１の構成及び呼び出し先の表示処理（図７参照）とほぼ同じであるが、Ｓ１１において、ＲＡＭ１５から「着信呼び出し先」が読み出され、「印字１」として、「（着信呼び出し先）  ヘ  チャクシン」がＲＡＭ１５に記憶される。続いて、ＲＡＭ１５から、再度、「印字１」が読み出されて、印字媒体４５の中央部よりやや上側に印字される。即ち、印字媒体４５の中央部よりやや上側に「（着信呼び出し先）  ヘ  チャクシン」と印字される。そして、次ページ以後の印字媒体４６に受信したファクシミリが印字される。
したがって、複数人（第１実施形態では、３人）でファクシミリ装置１を共有している場合に、予め電話帳３５の各私設電話帳Ａ、Ｂ、Ｃに相手先の「電話番号」を登録しておき、利用者登録テーブル３８に各私設電話帳Ａ、Ｂ、Ｃの「利用者名」を登録しておく事により、ファクシミリ通信の受信があった場合に、当該ファクシミリの発信者名及び宛先を印字媒体４５に印字することが可能となると共に、ファクシミリの印字出力後の振り分け作業を容易に行うことができる。また、発信者を他人に知られることなくファクシミリの宛先を判別できるため、プライバシーの確保が可能となる。
【００５５】
次に、第７実施形態に係るファクシミリ装置の一例について図１４に基づいて説明する。図１４は、第７実施形態に係るファクシミリ装置のＥＥＰＲＯＭ１４の電話帳記憶エリア１４Ａに記憶される電話帳４８の一例を示す図である。
先ず、第７実施形態に係るファクシミリ装置の構成は、第１実施形態のファクシミリ装置１の構成とほぼ同じ構成であるが、電話帳記憶エリア１４Ａに記憶される電話帳３５に代えて図１４に示される電話帳４８が記憶されている。また、利用者記憶エリア１４Ｄには、利用者登録テーブル３８は、記憶されていない。
図４に示されるように、電話帳４８は、「相手先電話番号」と「利用者名」から構成され、「相手先電話番号」には、複数の電話番号が、電話帳４８の利用者により操作部２５等を介して登録され、「利用者名」には、この「相手先電話番号」に対応する利用者名、即ち当該電話番号に対応する呼び出し先が登録されている（第７実施形態では、「○○○」、「×××」、「△△△」の３人のいずれかである）。
例えば、「相手先電話番号」が「０１２３４５５４３２」の場合には、「利用者名」は「○○○」さんである。また、「相手先電話番号」が「０１２３４５４３２１」の場合には、「利用者名」は「△△△」さんである。また、「相手先電話番号」が「０１２３４５３２１０」の場合には、「利用者名」は「×××」さんである。また、「相手先電話番号」が「０１２３４５２１０９」の場合には、「利用者名」は「○○○」さんである。また、「相手先電話番号」が「０１２３４５１０９８」の場合には、「利用者名」は「△△△」さんである。また、「相手先電話番号」が「０１２３４５０９８７」の場合には、「利用者名」は「△△△」さんである。さらに、「相手先電話番号」が「０１２３４５２８２８」の場合には、「利用者名」は「×××」さんである。
【００５６】
また、第７実施形態に係るファクシミリ装置の呼び出し先の表示処理は、第１実施形態のファクシミリ装置１の呼び出し先の表示処理（図７参照）とほぼ同じであるが、Ｓ２において、ＣＰＵ１２は、ＲＡＭ１５に「検索電話帳」として電話帳４８を記憶する。そして、Ｓ３の処理は行われず、Ｓ４において、電話帳４８の「相手先電話番号」に記憶されている電話番号データを最初から順次、一個ずつ読み出す。それと同時に、Ｓ５において、受信ＩＤ記憶エリア１５Ａに記憶されている受信ＩＤテーブル３９から最新に記憶された「電話番号」の電話番号データが読み出され、この電話番号データと「相手先電話番号」から読み出した電話番号データとが一致するか否か判定される。
【００５７】
そして、前記「電話番号」の電話番号データと「相手先電話番号」の電話番号データとが一致すると（Ｓ５：ＹＥＳ）、Ｓ１２において、ＲＡＭ１５に「着信呼び出し先」として当該「相手先電話番号」に対応する「利用者名」を記憶する。例えば、受信ＩＤテーブル３９に最新に記憶された「電話番号」の電話番号データが「０１２３４５２８２８」の場合には、「着信呼び出し先」として「×××」がＲＡＭ１５に記憶される。そして、Ｓ１０以降の処理が実行される。
【００５８】
以上詳細に説明した通り、第７実施形態のファクシミリ装置の構成及び呼び出し先の表示処理は、第１実施形態のファクシミリ装置１の構成（図１参照）及び呼び出し先の表示処理（図７参照）とほぼ同じであるが、Ｓ２において、電話帳４８を読み込み、Ｓ１２において、発信元電話番号と一致するこの電話帳４８の「相手先電話番号」に対応する「利用者名」が、「着信呼び出し先」としてＲＡＭ１５に記憶されて、表示部２６に表示される（Ｓ１０、Ｓ１１）。
したがって、複数人（第１実施形態では、３人）でファクシミリ装置１を共有している場合に、予め電話帳４８に「相手先電話番号」と「利用者名」を登録しておく事により、着信があった場合には、当該着信の「呼び出し先」を表示部２６に表示する事が可能となると共に、当該受信に対して適切な取り次ぎ等の対応をとることが可能となる。
【００５９】
次に、第８実施形態に係るファクシミリ装置の呼び出し手段２７の鳴動による宛先別呼び出しについて説明する。
先ず、第８実施形態に係るファクシミリ装置の構成は、第１実施形態のファクシミリ装置１の構成とほぼ同じ構成である。また、第８実施形態に係るファクシミリ装置の呼び出し手段２７の鳴動による宛先別呼び出し処理は、第１実施形態のファクシミリ装置１の呼び出し先の表示処理（図７参照）とほぼ同じであるが、Ｓ１１において、ＲＡＭ１５から「着信呼び出し先」が読み出され、当該「着信呼び出し先」が「不明」でない場合には、この「着信呼び出し先」と一致する利用者登録テーブル３８の「利用者名」に対応する「私設電話帳」が読み出され、ＲＡＭ１５に「呼び出し先−１」として記憶される。例えば、「着信呼び出し先」が「×××」の場合には、「呼び出し先−１」として、「私設電話帳Ｂ」が記憶される。
【００６０】
そして、ＲＡＭ１５からこの「呼び出し先−１」が読み出されて、この「呼び出し先−１」と一致する鳴動パターンデータテーブル３６の「呼び出し先」に対応する「鳴動パターン」が読み出される。例えば、「呼び出し先−１」が「私設電話帳Ｂ」の場合には、「鳴動パターン」として「パターン−２」が読み出される。
続いて、ＣＰＵ１２は、前記「鳴動パターン」に対応する鳴動パターン情報及び鳴動パターン制御情報をＲＯＭ１３から読み出し、これに基づいて呼び出し手段２７を鳴動させる。例えば、前記鳴動パターンが「パターン−２」の場合には、呼び出し手段２７が「パターン−２」の鳴動パターン情報及び鳴動パターン制御情報に基づいて鳴動させられる。
尚、当該「着信呼び出し先」が「不明」の場合には、呼び出し手段２７は、予めＲＯＭ１３に記憶されている通常の鳴動パターン情報に基づいて鳴動させられる。
【００６１】
これにより、複数人（第１実施形態では、３人）でファクシミリ装置１を共有している場合に、予め利用者登録テーブル３８に各私設電話帳Ａ、Ｂ、Ｃの「利用者名」を登録し、鳴動パターンデータテーブル３６に各私設電話帳Ａ、Ｂ、Ｃの「鳴動パターン」を登録しておく事により、着信があった場合には、当該着信の「呼び出し先」を鳴動パターンにより知らせることが可能になると共に、当該受信に対して適切な取り次ぎ等の対応をとることが可能となる。更には、発信者を他人に知られることなく「呼び出し先」を判別できるため、プライバシーの確保が可能となる。
【００６２】
尚、本発明は前記第１乃至第８の実施形態に限定されることはなく、本発明の要旨を逸脱しない範囲内で種々の改良、変形が可能であることは勿論である。例えば、以下のようにしてもよい。
（ａ）前記第１乃至第８の実施形態では、ファクシミリ装置１の共有利用者は、３名であったが、３名以上であってもよい。この場合には、各人の名前等を利用者登録テーブル３８に登録する。
（ｂ）前記第８実施の形態では、鳴動パターンは、利用者の人数分であったが、それ以上の鳴動パターンの設定ができるようにしてもよい。
（ｃ）前記第１実施形態では、表示部２６に、「表示１」と「表示２」とが交互にＲＡＭ１５から読み出され、所定時間ずつ（第１実施形態では、約０．５秒間ずつ）表示されたが、この各「表示１」と「表示２」をディジタル音声データ作成部２８を介して、「音声データ１」と「音声データ２」に変換して、音声出力部２９を介して音声によって「着信の宛先」と「相手先」とを知らせるようにしてもよい。
【００６３】
【発明の効果】
以上説明した通り本発明は、発信元情報に対応する宛先情報を予め記憶しておくことにより、受信した発信元情報に対応する宛先情報を表示手段等によって報知することが可能となると共に、当該受信に対して適切な取り次ぎ等の対応をとることが可能な通信端末装置を提供することができる。
【図面の簡単な説明】
【図１】  第１実施形態に係る留守番録音機能付きファクシミリ装置の概略構成を示すブロック図である。
【図２】  第１実施形態に係るファクシミリ装置のＥＥＰＲＯＭの電話帳記憶エリアに記憶される電話帳の一例を示す図である。
【図３】  第１実施形態に係るファクシミリ装置のＥＥＰＲＯＭの鳴動パターン記憶エリアに記憶される鳴動パターンデータテーブルの一例を示す図である。
【図４】  第１実施形態に係るファクシミリ装置のＥＥＰＲＯＭの電話番号データテーブル記憶エリアに記憶される電話番号データテーブルの一例を示す図である。
【図５】  第１実施形態に係るファクシミリ装置のＥＥＰＲＯＭの利用者記憶エリアに記憶される利用者登録テーブルの一例を示す図である。
【図６】  第１実施形態に係るファクシミリ装置のＲＡＭの受信ＩＤ記憶エリアに記憶される受信ＩＤテーブルの一例を示す図である。
【図７】  第１実施形態に係るファクシミリ装置の呼び出し先の表示処理のフローチャートである。
【図８】  第１実施形態に係る呼び出し先表示の一例を示す図で、（ａ）は受信した発信元電話番号が電話帳の私設電話帳Ｂに登録されていた場合の表示の一例を示す図で、（ｂ）は受信した発信元電話番号が電話帳に登録されていない場合の表示の一例を示す図である。
【図９】  第２実施形態に係るファクシミリ装置の呼び出し先表示の一例を示す図で、（ａ）は受信した発信元電話番号が電話帳の私設電話帳Ｂに登録されていた場合の表示の一例を示す図で、（ｂ）は受信した発信元電話番号が電話帳に登録されていない場合の表示の一例を示す図である。
【図１０】  第３実施形態に係るファクシミリ装置の受信した発信元電話番号が、電話帳の私設電話帳Ｂに登録されていた場合の印字媒体への印字による宛先表示の一例を示す図である。
【図１１】  第４実施形態に係るファクシミリ装置の受信した発信元電話番号が、電話帳の私設電話帳Ｂに登録されていた場合の印字媒体への印字による宛先表示の一例を示す図である。
【図１２】  第５実施形態に係るファクシミリ装置の受信した発信元電話番号が、電話帳の私設電話帳Ｂに登録されていた場合の印字媒体への印字による宛先表示の一例を示す図である。
【図１３】  第６実施形態に係るファクシミリ装置の受信した発信元電話番号が、電話帳の私設電話帳Ｂに登録されていた場合の印字媒体への印字による宛先表示の一例を示す図である。
【図１４】  第７実施形態に係るファクシミリ装置のＥＥＰＲＯＭの電話帳記憶エリアに記憶される電話帳の一例を示す図である。
【符号の説明】
１  ファクシミリ装置
２  発信元電話番号付加判別手段
３  着信信号検出手段
４  ラインリレー
５  発信元電話番号判別手段
６  終話検出手段
７  通話回路
１２  ＣＰＵ
１３  ＲＯＭ
１４  ＥＥＰＲＯＭ
１４Ａ  電話帳記憶エリア
１４Ｂ  鳴動パターン記憶エリア
１４Ｃ  電話番号データテーブル記憶エリア
１４Ｄ  利用者記憶エリア
１５  ＲＡＭ
１５Ａ  受信ＩＤ記憶エリア
１５Ｂ  画像データ記憶エリア
１７  コーデック
１８  ＤＭＡＣ
１９  タイマー
２０  電話回線
２１  ゲートアレイ
２２  モデム
２３  読取部
２４  記録部
２５  操作部
２６  表示部
２７  呼び出し手段
２８  ディジタル音声データ作成部
２９  音声出力部
３５、４８  電話帳
３６  鳴動パターンデータテーブル
３７  電話番号データテーブル
３８  利用者登録テーブル
３９  受信ＩＤテーブル
４１、４２、４３、４４、４５、４６  印字媒体
【図１】
0003744212.tif 000002
【図２】
0003744212.tif 000003
【図３】
0003744212.tif 000004
【図４】
0003744212.tif 000005
【図５】
0003744212.tif 000006
【図６】
0003744212.tif 000007
【図７】
0003744212.tif 000008
【図８】
0003744212.tif 000009
【図９】
0003744212.tif 000010
【図１０】
0003744212.tif 000011
【図１１】
0003744212.tif 000012
【図１２】
0003744212.tif 000013
【図１３】
0003744212.tif 000014
【図１４】
0003744212.tif 000015